(57)【要約】【課題】  遊技島自体を変更することなく遊技機設計の自由度を向上できる遊技機を提供する。【解決手段】  遊技島に固定される外枠１１に対して開閉自在な内枠１２と、これに対して開閉自在な前面枠セット１３とを備え、内枠１２は遊技球発射装置３８とその発射された遊技球を遊技盤３０の方に案内する誘導通路２７とを備え、前面枠セット１３は誘導通路２７よりも前面側に遊技盤３０を備え、遊技盤３０はその裏面側に誘導通路２７からの遊技球が入力される入口部６３を備えているので、遊技盤３０が内枠１２の外部にシフトできた分だけ遊技盤３０の裏側のスペースを確保でき、遊技盤３０の裏側の構成部品が外枠１１の厚みよりも裏側にはみ出すことが低減され、その構成部品のレイアウト設計負担を低減でき、パチンコ機設計の自由度を向上でき、遊技島自体を変更することもない。【選択図】        図４
2006167264.tif 000002
【特許請求の範囲】
【請求項１】
遊技球が打ち込まれる遊技領域を有する遊技盤を備えた遊技機において、
当該遊技機の外郭を形成し遊技島に固定される外枠と、
前記外枠に対して開閉自在に取り付けられる内枠と、
前記内枠に対してその前面側に開閉自在に取り付けられる前面枠と、
を備え、
前記内枠は、遊技球を発射する遊技球発射手段と、前記遊技球発射手段により発射された遊技球を前記遊技盤の方に案内する誘導通路とを備え、
前記前面枠は、前記誘導通路よりも前面側に前記遊技盤が位置するように当該遊技盤を備え、
前記遊技盤は、その裏面側で前記誘導通路の出力端に対応する箇所に、当該誘導通路からの遊技球を遊技領域に導くよう入力される入口部を備えている
ことを特徴とする遊技機。
【発明の詳細な説明】
【技術分野】
【０００１】
この発明は、パチンコ機やスロットマシン等の遊技機に関する。
【背景技術】
【０００２】
従来、遊技機の代表例として例えばパチンコ機がある。このパチンコ機は、例えば、当該遊技機の外郭を形成し遊技島に固定される外枠と、この外枠に対して開閉自在に取り付けられる、遊技球が転動可能な遊技領域を前面側に形成した遊技盤などが固定される内枠と、この内枠に対して開閉自在に取り付けられ、遊技領域を視認可能な視認窓を含む前面枠とを備えている。また、遊技盤の前面側には、誘導レールによって遊技領域と区画され、遊技球発射装置から発射された遊技球を遊技領域に誘導するための誘導領域が備えられている。つまり、遊技盤の前面側において、遊技領域に併設して誘導領域が設けられている。また、遊技盤の遊技領域には、遊技者にとって有利な遊技状態の獲得についての抽選結果などを表示する表示装置が設置されている（例えば、特許文献１参照）。
【特許文献１】特開２００１−２３２０２３号公報（第４−５頁，第２図）
【発明の開示】
【発明が解決しようとする課題】
【０００３】
しかしながら、このような構成を有する従来例の場合には、次のような問題がある。
すなわち、従来のパチンコ機では、例えば、当該パチンコ機の裏側に制御基板や払出機構など多くの構成部品が設置されており、外枠の厚み（奥行き長さ）よりも裏側にはみ出した部分が所定範囲を超えると遊技島への設置の障害となるため、それらの構成部品を所定範囲内に収納しなければならないことから、新機種設計の際には、パチンコ機の裏側における構成部品のレイアウト設計に時間がかかるのみならず、これらの構成部品を小型化する方向で設計しなければならず、係る制約によってパチンコ機（遊技機）設計の自由度が制限されているという問題がある。
【０００４】
だからと言って、パチンコ機の裏側のスペースを確保するために、パチンコ機全体を前面側に平行移動させることにすると、遊技島自体を変更しなければならないし、遊技者との距離を保たなければならない球受皿などの前面側設置部品までが前方に移動してしまい、遊技者の遊技スペースが圧迫され、遊技操作し難くなるという問題が生じる。
【０００５】
本発明は、このような事情に鑑みてなされたものであって、遊技島自体を変更することなく遊技機の設計の自由度を向上させることができる遊技機を提供することを目的とする。
【課題を解決するための手段】
【０００６】
この発明は、このような目的を達成するために、次のような構成をとる。
すなわち、請求項１に記載の発明は、
遊技球が打ち込まれる遊技領域を有する遊技盤を備えた遊技機において、
当該遊技機の外郭を形成し遊技島に固定される外枠と、
前記外枠に対して開閉自在に取り付けられる内枠と、
前記内枠に対してその前面側に開閉自在に取り付けられる前面枠と、
を備え、
前記内枠は、遊技球を発射する遊技球発射手段と、前記遊技球発射手段により発射された遊技球を前記遊技盤の方に案内する誘導通路とを備え、
前記前面枠は、前記誘導通路よりも前面側に前記遊技盤が位置するように当該遊技盤を備え、
前記遊技盤は、その裏面側で前記誘導通路の出力端に対応する箇所に、当該誘導通路からの遊技球を遊技領域に導くよう入力される入口部を備えている
ことを特徴とするものである。
【０００７】
［作用・効果］請求項１に記載の発明によれば、外枠は、遊技機の外郭を形成するものであり、遊技島に固定される。内枠は、外枠に対して開閉自在に取り付けられる。前面枠は、内枠に対してその内枠の前面側に開閉自在に取り付けられるものであり、遊技球発射手段と誘導通路とを備えている。遊技球発射手段から発射された遊技球が誘導通路を通じて遊技盤の方に案内される。前面枠は、誘導通路よりも前面側に遊技盤が位置するように当該遊技盤を備えている。遊技盤の裏面側における誘導通路の出力端に対応する箇所に設けられた入口部は、誘導通路からの遊技球を遊技領域に導くよう入力される。この入力部を通過した遊技球は、遊技盤の遊技領域に案内される。
【０００８】
したがって、内枠よりも前面側に位置する前面枠に遊技盤を配設することができ、遊技盤が内枠の外部にシフトできた分だけ、遊技盤の裏側のスペースを確保することができ、遊技盤の裏側に配設される構成部品（例えば、制御基板や払出機構など多くの部品）が外枠の厚み（奥行き長さ）よりも裏側にはみ出すことが低減され、遊技盤の裏側における構成部品のレイアウト設計負担を低減でき、かかる構成部品を小型化する方向に縛られて設計しなければならないという制約を緩和することができ、遊技機（例えばパチンコ機）設計の自由度を広げることができる。例えば、遊技盤の中央に設けられた表示装置の表示画面周囲を覆う装飾部材（例えば、センターフレーム）のステージの奥行き長さを拡張するために、この装飾部材を奥行き方向に拡張したものを採用でき、さらに立体感のある装飾部材を具備する遊技機を実現できる。
【０００９】
また、内枠よりも前面側に位置する前面枠に遊技盤を配設するようにしているので、遊技機（パチンコ機）全体を前面側に平行移動する必要はないし、当該移動に起因する遊技島自体の変更も全く生じないし、遊技者との距離を保たなければならない球受皿などの前面側設置部品までが前方に移動してしまうようなこともないし、遊技者の遊技スペースが圧迫されることもないし、遊技操作し難くなるという問題も生じない。
【００１０】
その結果、遊技島自体を変更することなく遊技機の設計の自由度を向上させることができる遊技機を提供することができる。
【００１１】
さらに、内枠よりも前面側に位置する前面枠に遊技盤を配設するようにしているので、遊技領域を遊技者に近づけることができ、視認性を向上させることができるし、従来には無い斬新なインパクトのある遊技機を提供することができる。つまり、従来のパチンコ機では、内枠の内部に遊技盤が位置するものが一般的であり、遊技者は遊技盤が従来位置にあると固定感覚化されており、本請求項１に係る遊技機（パチンコ機）では、遊技盤が遊技者側にシフトしているため、遊技者が当該パチンコ機前の座席に着いたときの印象が従来とは全く異なった印象を受け、当該遊技機の独自の個性を発揮することができる。また、従来のパチンコ機の遊技盤の前面側において、遊技領域に併設して設けられていた誘導領域、つまり、略円形の遊技領域の左端部に沿わせるように設けられていたガイドレールにより形成される誘導領域を、遊技盤の前面から無くすことができ、その分遊技領域を拡大することができ、遊技の興趣性を向上させることができる。
【００１２】
また、遊技盤が設けられた前面枠は内枠に対して開閉自在となっているので、内枠の誘導通路の清掃や誘導通路での球詰まりの解除や誘導通路の点検などを行うことができる。
【００１３】
なお、本明細書は、次のような遊技機に係る発明も開示している。
【００１４】
（１）  遊技球が打ち込まれる遊技領域を有する遊技盤を備えた遊技機において、
当該遊技機の外郭を形成し遊技島に固定される外枠と、
前記外枠に対して開閉自在に取り付けられる内枠と、
前記内枠に対してその前面側に開閉自在に取り付けられる前面枠と、
を備え、
前記内枠は、遊技球を発射する遊技球発射手段と、前記遊技球発射手段により発射された遊技球を前記遊技盤の方に案内する誘導通路とを備えるとともに、前記誘導通路よりも前面側で前記前面枠の内部位置に前記遊技盤が位置するように当該遊技盤を備え、
前記遊技盤は、その裏面側で前記誘導通路の出力端に対応する箇所に、当該誘導通路からの遊技球を遊技領域に導くよう入力される入口部を備えている
ことを特徴とするものである。
【００１５】
前記（１）に記載の発明によれば、外枠は、遊技機の外郭を形成するものであり、遊技島に固定される。内枠は、外枠に対して開閉自在に取り付けられる。前面枠は、内枠に対してその内枠の前面側に開閉自在に取り付けられるものであり、遊技球発射手段と誘導通路とを備えるとともに、誘導通路よりも前面側で前面枠の内部位置に遊技盤が位置するように当該遊技盤を備えている。遊技球発射手段から発射された遊技球が誘導通路を通じて遊技盤の方に案内される。つまり、遊技盤の裏面側における誘導通路の出力端に対応する箇所に設けられた入口部は、誘導通路からの遊技球を遊技領域に導くよう入力される。この入力部を通過した遊技球は、遊技盤の遊技領域に案内される。
【００１６】
したがって、内枠よりも前面側に位置する前面枠に遊技盤を配設することができ、遊技盤が内枠の外部にシフトできた分だけ、遊技盤の裏側のスペースを確保することができ、遊技盤の裏側に配設される構成部品（例えば、制御基板や払出機構など多くの部品）が外枠の厚み（奥行き長さ）よりも裏側にはみ出すことが低減され、遊技盤の裏側における構成部品のレイアウト設計負担を低減でき、かかる構成部品を小型化する方向に縛られて設計しなければならないという制約を緩和することができ、遊技機（例えばパチンコ機）設計の自由度を広げることができる。例えば、遊技盤の中央に設けられた表示装置の表示画面周囲を覆う装飾部材（例えば、センターフレーム）のステージの奥行き長さを拡張するために、この装飾部材を奥行き方向に拡張したものを採用でき、さらに立体感のある装飾部材を具備する遊技機を実現できる。
【００１７】
また、内枠よりも前面側に位置する前面枠に遊技盤が位置するように、当該遊技盤を内枠に配設しているので、遊技機（パチンコ機）全体を前面側に平行移動する必要はないし、当該移動に起因する遊技島自体の変更も全く生じないし、遊技者との距離を保たなければならない球受皿などの前面側設置部品までが前方に移動してしまうようなこともないし、遊技者の遊技スペースが圧迫されることもないし、遊技操作し難くなるという問題も生じない。
【００１８】
その結果、遊技島自体を変更することなく遊技機の設計の自由度を向上させることができる遊技機を提供することができる。
【００１９】
さらに、内枠よりも前面側に位置する前面枠に遊技盤が位置するように、当該遊技盤を内枠に配設しているので、遊技領域を遊技者に近づけることができ、視認性を向上させることができるし、従来には無い斬新なインパクトのある遊技機を提供することができる。つまり、従来のパチンコ機では、内枠の内部に遊技盤が位置するものが一般的であり、遊技者は遊技盤が従来位置にあると固定感覚化されており、本請求項１に係る遊技機（パチンコ機）では、遊技盤が遊技者側にシフトしているため、遊技者が当該パチンコ機前の座席に着いたときの印象が従来とは全く異なった印象を受け、当該遊技機の独自の個性を発揮することができる。また、従来のパチンコ機の遊技盤の前面側において、遊技領域に併設して設けられていた誘導領域、つまり、略円形の遊技領域の左端部に沿わせるように設けられていたガイドレールにより形成される誘導領域を、遊技盤の前面から無くすことができ、その分遊技領域を拡大することができ、遊技の興趣性を向上させることができる。
【００２０】
また、遊技盤が設けられた前面枠は内枠に対して開閉自在となっているので、内枠の誘導通路の清掃や誘導通路での球詰まりの解除や誘導通路の点検などを行うことができる。
【００２１】
（２）  請求項１に記載の遊技機、または、前記（１）に記載の遊技機において、
前記遊技球発射手段は、当該遊技球発射手段により発射された遊技球を前記誘導通路に向けて案内する案内通路を備え、
前記誘導通路は、発射された遊技球が入力される入口と、遊技球が出力される出口とを有する中空円筒部材であり、その入口側の開口面積の方が当該中空円筒部材の途中箇所の断面積よりも大きくなっている
ことを特徴とする遊技機。
【００２２】
前記（２）に記載の発明によれば、遊技球発射手段に備えられた案内通路は、当該遊技球発射手段により発射された遊技球を誘導通路に向けて案内する。誘導通路は、発射された遊技球が入力される入口と、遊技球を出力する出口とを有する中空円筒部材となっており、その入口側の開口面積の方が当該中空円筒部材の途中箇所の断面積よりも大きくなっている。したがって、遊技球発射手段から発射されて案内通路を通ってきた遊技球の進路方向に多少のバラツキがあっても、誘導通路の拡張された入口で許容することができ、好適に誘導通路に入力させることができる。つまり、遊技球発射手段での遊技球発射方向バラツキや案内通路の通過過程での遊技球の進行方向バラツキなどを誘導通路でもって許容することができる。
【００２３】
（３）  前記（２）に記載の遊技機において、
前記遊技球発射手段と前記案内通路と前記誘導通路とは、遊技球を遊技領域に向かわせる単一の通過経路を形成するように前記内枠の所定箇所に固定されている
ことを特徴とする遊技機。
【００２４】
前記（３）に記載の発明によれば、遊技球発射手段と案内通路と誘導通路とは、遊技球を遊技領域に向かわせる単一の通過経路を形成するように内枠の所定箇所に固定されているので、遊技球発射手段と案内通路との位置や、案内通路と誘導通路との位置をぶれ難くすることができる。
【００２５】
（４）  請求項１に記載の遊技機、または、前記（１）から（３）のいずれか一つに記載の遊技機において、
前記前面枠は、その裏面側に、前記遊技盤が正対状態で嵌入可能な大きさの凹部を備え、
前記凹部は、その凹部自体が隙間の無いように成形されたものであり、
前記前面枠の前記凹部に前記遊技盤を正対状態で嵌入することで前記前面枠に前記遊技盤を収納するようにしている
ことを特徴とする遊技機。
【００２６】
前記（４）に記載の発明によれば、前面枠は、その裏面側に、遊技盤が正対状態で嵌入可能な大きさの凹部を備えている。凹部は、その凹部自体が隙間の無いように成形されたものである。前面枠の凹部に遊技盤を正対状態で嵌入することで前面枠に遊技盤を収納するようになっている。したがって、前面枠の前面側には不正行為に用いられる不正道具（線状、細状、細板状、棒状などの形状物）を差し入れる隙間などがない。つまり、凹部自体が隙間の無いようになっているので、不正道具を凹部の任意の箇所に貫通させて遊技盤に到達させようとすることができないので、そのような不正道具を用いた不正行為を低減できる。
【００２７】
（５）  請求項１に記載の遊技機、または、前記（１）から（４）のいずれか一つに記載の遊技機において、
前記前面枠は、正面視した状態で前記凹部の横幅方向に所定長さにわたって補強部材を備えている
ことを特徴とする遊技機。
【００２８】
前記（５）に記載の発明によれば、前面枠は、正面視した状態で凹部の横幅方向に所定長さにわたって補強部材を備えている。したがって、遊技盤が開閉自在に取り付けられた前面枠がその遊技盤の自重によって変形あるいは歪みが生じることを低減できる。
【００２９】
（６）  請求項１に記載の遊技機、または、前記（２）から（５）のいずれか一つに記載の遊技機において、
前記遊技盤は、前記前面枠に対してその裏面側に開閉自在な扉枠に取り付けられている
ことを特徴とする遊技機。
【００３０】
前記（６）に記載の発明によれば、遊技盤は、前面枠に対してその前面枠の裏面側に開閉自在な扉枠に取り付けられているので、遊技盤の盤面の清掃や遊技盤での球詰まりの解除や遊技盤の点検などを行うことができる。
【００３１】
（７）  前記（１）から（５）のいずれか一つに記載の遊技機において、
前記遊技盤は、前記内枠に対してその前面側に開閉自在な扉枠に取り付けられている
ことを特徴とする遊技機。
【００３２】
前記（７）に記載の発明によれば、遊技盤は、内枠に対してその内枠の前面側に開閉自在な扉枠に取り付けられているので、遊技盤の盤面の清掃や遊技盤での球詰まりの解除や遊技盤の点検などを行うことができる。
【００３３】
（８）  前記（６）に記載の遊技機において、
前記扉枠は、前記前面枠から見た状態において、略Ｕの字形状となっており、左側が前記前面枠に開閉自在に軸支され、かつ、上側から前記遊技盤が着脱自在となるように、当該上側が開放されるとともに、両側部の内面側に前記遊技盤の側端を摺動狭持するための溝部が形成され、下側に前記遊技盤が載置される載置部を備えている
ことを特徴とする遊技機。
【００３４】
前記（８）に記載の発明によれば、扉枠は、前面枠から見た状態において、略Ｕの字形状となっており、上側が開放されている。扉枠の両側部の内面側に形成された溝に、遊技盤の両側端を沿わせるように差し入れることで、この扉枠の溝に遊技盤の側端が摺動狭持されながら遊技盤が扉枠に挿入され、この遊技盤の底部が扉枠の下側の載置部に当接することで、遊技盤の扉枠への装着が完了する。また、それとは逆の手順で遊技盤を取り外すことができる。つまり、扉枠の溝に遊技盤の側端を嵌めるように合わせて、この扉枠の溝に遊技盤の側端を摺動させて挿入していくことで、遊技盤を扉枠に取り付けることができるし、その逆の手順で取り外すことができるので、遊技盤の着脱を容易に行うことができる。なお、本明細書中で言う「略Ｕの字形状」には、凵の字形状を含む。つまり、扉枠の下方の角部が、扉枠を正面視した状態で直角あるいは略直角となっていてもよい。
【００３５】
（９）  前記（７）に記載の遊技機において、
前記扉枠は、前記前面枠から見た状態において、略Ｕの字形状となっており、左側が前記内枠に開閉自在に軸支され、かつ、上側から前記遊技盤が着脱自在となるように、当該上側が開放されるとともに、両側部の内面側に前記遊技盤の側端を摺動狭持するための溝部が形成され、下側に前記遊技盤が載置される載置部を備えている
ことを特徴とする遊技機。
【００３６】
前記（９）に記載の発明によれば、扉枠は、前面枠から見た状態において、略Ｕの字形状となっており、上側が開放されている。扉枠の両側部の内面側に形成された溝に、遊技盤の両側端を沿わせるように差し入れることで、この扉枠の溝に遊技盤の側端が摺動狭持されながら遊技盤が扉枠に挿入され、この遊技盤の底部が扉枠の下側の載置部に当接することで、遊技盤の扉枠への装着が完了する。また、それとは逆の手順で遊技盤を取り外すことができる。つまり、扉枠の溝に遊技盤の側端を嵌めるように合わせて、この扉枠の溝に遊技盤の側端を摺動させて挿入していくことで、遊技盤を扉枠に取り付けることができるし、その逆の手順で取り外すことができるので、遊技盤の着脱を容易に行うことができる。なお、本明細書中で言う「略Ｕの字形状」には、凵の字形状を含む。つまり、扉枠の下方の角部が、扉枠を正面視した状態で直角あるいは略直角となっていてもよい。
【００３７】
（１０）  前記（６）に記載の遊技機において、
前記扉枠は、前記前面枠から見た状態において、逆コの字形状となっており、左側が前記前面枠に開閉自在に軸支され、かつ、右側から前記遊技盤が着脱自在となるように、当該右側が開放されるとともに、上側および下側の内面側に前記遊技盤の上下端を摺動狭持するための溝部が形成され、止め具により前記遊技盤を固定する
ことを特徴とする遊技機。
【００３８】
前記（１０）に記載の発明によれば、扉枠は、前面枠から見た状態において、逆コの字形状となっており、右側が開放されている。扉枠の上側および下側の内面側に形成された溝に、遊技盤の上下端を沿わせるように差し入れることで、この扉枠の溝に遊技盤の上下端が摺動狭持されながら遊技盤が扉枠に挿入され、この遊技盤の左端部が扉枠の左側に当接することで、遊技盤の扉枠への挿入が完了し、止め具により遊技盤を固定することで遊技盤の扉枠への装着が完了する。また、それとは逆の手順で遊技盤を取り外すことができる。つまり、扉枠の溝に遊技盤の上下端を嵌めるように合わせて、この扉枠の溝に遊技盤の上下端を摺動させて挿入して止め具で固定することで、遊技盤を扉枠に取り付けることができるし、その逆の手順で取り外すことができるので、遊技盤の着脱を容易に行うことができる。
【００３９】
（１１）  前記（７）に記載の遊技機において、
前記扉枠は、前記前面枠から見た状態において、逆コの字形状となっており、左側が前記内枠に開閉自在に軸支され、かつ、右側から前記遊技盤が着脱自在となるように、当該右側が開放されるとともに、上側および下側の内面側に前記遊技盤の上下端を摺動狭持するための溝部が形成され、止め具により前記遊技盤を固定する
ことを特徴とする遊技機。
【００４０】
前記（１１）に記載の発明によれば、扉枠は、前面枠から見た状態において、逆コの字形状となっており、右側が開放されている。扉枠の上側および下側の内面側に形成された溝に、遊技盤の上下端を沿わせるように差し入れることで、この扉枠の溝に遊技盤の上下端が摺動狭持されながら遊技盤が扉枠に挿入され、この遊技盤の左端部が扉枠の左側に当接することで、遊技盤の扉枠への挿入が完了し、止め具により遊技盤を固定することで遊技盤の扉枠への装着が完了する。また、それとは逆の手順で遊技盤を取り外すことができる。つまり、扉枠の溝に遊技盤の上下端を嵌めるように合わせて、この扉枠の溝に遊技盤の上下端を摺動させて挿入して止め具で固定することで、遊技盤を扉枠に取り付けることができるし、その逆の手順で取り外すことができるので、遊技盤の着脱を容易に行うことができる。
【００４１】
（１２）  前記（７）から（１１）のいずれか一つに記載の遊技機において、
前記扉枠は、前記前面枠から見た状態で、前記遊技盤が取り付けられた状態において、遊技領域を隠さないように当該扉枠の所定箇所が切り欠かれた切り欠き部を備えている
ことを特徴とする遊技機。
【００４２】
前記（１２）に記載の発明によれば、扉枠は、前面枠から見た状態で、遊技盤が取り付けられた状態において、遊技領域に隠さない（正面視した状態で重ならない）ように当該扉枠の所定箇所が切り欠かれた切り欠き部を備えている。したがって、遊技盤の遊技領域を最大限に広げることができる。
【００４３】
（１３）  前記（７）から（１２）のいずれか一つに記載の遊技機において、
前記扉枠は、前記遊技盤に打ち込まれた遊技球を排出するための当該遊技盤に設けられた排出口に対応する箇所に、前記排出口からの遊技球を前記内枠の方に排出するための排出通路を備えている
ことを特徴とする遊技機。
【００４４】
前記（１３）に記載の発明によれば、扉枠は、遊技盤に打ち込まれた遊技球を排出するための当該遊技盤に設けられた排出口に対応する箇所に、排出口からの遊技球を内枠の方に排出するための排出通路を備えているので、内枠よりも前面側の前面枠に位置するように遊技盤を配設するようにした遊技機の構成下においても、遊技盤から排出される遊技球を内枠側の遊技球排出経路に好適に排出することができ、内枠側の遊技球排出経路を変更することなく使用することができる。
【００４５】
（１４）  前記（６）から（１３）のいずれか一つに記載の遊技機において、
前記遊技盤は、前記入口部を含む所定領域部分からなる第１領域部と、前記第１領域部以外の領域たる第２領域部とを備え、
前記第１領域部は、前記第２領域部とは別体であり、前記入口部と前記誘導通路の出力口とが連通するように前記内枠に取り付けられており、
前記扉枠は前記内枠に対しても、当該扉枠単独で開閉自在となっており、
前記遊技盤を前記扉枠に取り付けた状態でこの扉枠を前記内枠に対して閉状態とした場合において、前記第１領域部と前記第２領域部とが合わさり遊技領域が形成されるようになっている
ことを特徴とする遊技機。
【００４６】
前記（１４）に記載の発明によれば、遊技盤は、入口部を含む所定領域部分からなる第１領域部と、この第１領域部以外の領域たる第２領域部とを備えている。第１領域部は、第２領域部とは別体であり、入口部と誘導通路の出力口とが連通するように内枠に取り付けられている。扉枠は内枠に対しても、当該扉枠単独で開閉自在となっている。遊技盤を扉枠に取り付けた状態でこの扉枠を内枠に対して閉状態とした場合において、第１領域部と第２領域部とが合わさり遊技領域が形成されるようになっている。したがって、誘導通路の出力口が第１領域部の入口部に連通されるようにこれらの誘導通路および第１領域部が内枠に取り付けられているので、遊技球発射手段により発射されて遊技盤の遊技領域に供給される遊技球の供給経路が扉枠を開くことで分断されるようなことがない。つまり、当該遊技球の供給経路が扉枠を開くことで分断されることがなく固定されている。よって、遊技球の供給経路が扉枠を開くことで分断される構成の場合に発生し得る当該分断に起因するぶれを解消できるし、扉枠の開閉に起因する経年的な位置ずれなども解消できる。また、扉枠を閉状態としたときに当該供給経路が適切に接続されるように扉枠の開状態（供給経路の分断状態）において関係箇所を位置合わせしなければならないという位置合わせの煩わしさも低減できる。
【００４７】
（１５）  請求項１に記載の遊技機、または、前記（１）から（１４）のいずれか一つに記載の遊技機において、
前記誘導通路は、その出力端の外形が、先端に行くに従って先細りとなるようにテーパ形状となっており、
前記入口部は、その入力端の内形が、入力端に行くに従って先広がりとなるように逆テーパ形状となっている
ことを特徴とする遊技機。
【００４８】
前記（１５）に記載の発明によれば、誘導通路は、その出力端の外形が、先端に行くに従って先細りとなるようにテーパ形状となっている。入口部は、その入力端の内形が、入力端に行くに従って先広がりとなるように逆テーパ形状となっている。したがって、誘導通路の出力端の外形に形成されたテーパ形状と、入口部の入力端の内形に形成された逆テーパ形状とにより、スムーズに誘導通路の出力端を入口部に挿入することができる。
【００４９】
（１６）  請求項１に記載の遊技機、または、前記（１）から（１５）のいずれか一つに記載の遊技機において、
前記誘導通路は、少なくともその出力端側の所定箇所が柔軟性部材により形成されている
ことを特徴とする遊技機。
【００５０】
前記（１６）に記載の発明によれば、誘導通路は、少なくともその出力端側の所定箇所が柔軟性部材により形成されているので、スムーズに誘導通路の出力端を入口部に挿入することができる。
【００５１】
（１７）  請求項１に記載の遊技機、または、前記（１）から（１６）のいずれか一つに記載の遊技機において、
前記遊技盤は、
当該遊技盤をその背面側から前面側に貫通した通路であって、その背面側に前記入口部を備えた貫通通路部と、
入力側開口部が前記貫通通路部の前面側の開口部に連通され、出力側開口部が前記遊技盤の前面側で遊技領域面に対して垂直または略垂直に向けられた、前記遊技盤の遊技領域から外側に向かう方向から当該遊技領域に平行となる方向に曲げられた曲通路部と、
を備えていることを特徴とするものである。
【００５２】
前記（１７）に記載の発明によれば、貫通通路部は、遊技盤をその背面側から前面側に貫通した通路であって、その背面側に入口部を備えている。曲通路部は、遊技盤の遊技領域から外側に向かう方向から当該遊技領域に平行となる方向に曲げられたものであり、その入力側開口部が貫通通路部の前面側の開口部に連通され、その出力側開口部が遊技盤の前面側で遊技領域面に対して垂直または略垂直に向けられている。貫通通路部を通過してきた遊技球は、曲通路部に沿って通過していくことで、遊技領域に対して平行に出力される。このようにして遊技領域に打ち込まれた遊技球は、当該遊技領域を転動する。
【００５３】
したがって、遊技球発射手段から発射された遊技球は、誘導通路を通って遊技盤の背面側の入口部に誘導案内され、貫通通路部と曲通路部を通って遊技領域に案内されるので、従来例のような遊技盤の前面側の誘導領域を設けることを不要にでき、当該誘導領域が無くなった分、遊技領域を拡大することができる。しかも、曲通路部によって遊技球を遊技領域に対して平行に出力することができるので、遊技盤の背面側から前面側に供給されてきた遊技球が、遊技領域に対して所定間隔（例えば遊技球２個分程度の間隔）を空けて配設されている視認窓（ガラス板）に直接に衝突するようなことを防止でき、前記の衝突に起因する視認窓（ガラス板）の損傷を解消することができる。その結果、遊技盤自体を拡大することなく遊技領域を拡大した遊技機を提供することができる。
【００５４】
なお、遊技球を遊技領域に対して平行に出力するという観点からすれば、前述したように、曲通路部の出力側開口部は、遊技盤の前面側で遊技領域面に対して垂直または略垂直に向けることが好ましいが、視認窓への遊技球衝突による視認窓の損傷を防止する観点からすれば、遊技盤の前面側に斜め方向に遊技球が入射してくるようにしてもよい。
【００５５】
（１８）  前記（１７）に記載の遊技機において、
前記曲通路部は、前記貫通通路部を通過してきた遊技球が接触して遊技領域に平行に出力されるように曲げられた曲面部を備えていることを特徴とする遊技機。
【００５６】
前記（１８）に記載の発明によれば、曲面部は、貫通通路部を通過してきた遊技球が接触して遊技領域に平行に出力されるように曲げられたものとなっており、貫通通路部からの遊技球が曲面部を摺接することで方向変更されて遊技領域に平行に出力されるので、遊技盤の背面側から前面側に供給されてきた遊技球が、遊技領域に対して所定間隔（例えば遊技球２個分程度の間隔）を空けて配設されている視認窓（ガラス板）に直接に衝突するようなことを防止でき、前記の衝突に起因する視認窓（ガラス板）の損傷を解消することができる。
【００５７】
（１９）  請求項１に記載の遊技機、または、前記（１）から（１８）のいずれか一つに記載の遊技機において、
前記遊技機はパチンコ機であることを特徴とする遊技機。
【００５８】
前記（１９）に記載の遊技機によれば、遊技島自体を変更することなく遊技機（パチンコ機）の設計の自由度を向上させることができるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【発明の効果】
【００５９】
この発明に係る遊技機によれば、遊技機の外郭を形成し遊技島に固定される外枠と、前記外枠に対して開閉自在に取り付けられる内枠と、前記内枠に対してその前面側に開閉自在に取り付けられる前面枠と、を備え、前記内枠は、遊技球を発射する遊技球発射手段と、前記遊技球発射手段により発射された遊技球を前記遊技盤の方に案内する誘導通路とを備え、前記前面枠は、前記誘導通路よりも前面側に前記遊技盤が位置するように当該遊技盤を備え、前記遊技盤は、その裏面側で前記誘導通路の出力端に対応する箇所に、当該誘導通路からの遊技球を遊技領域に導くよう入力される入口部を備えているので、内枠よりも前面側に位置する前面枠に遊技盤を配設することができ、遊技盤が内枠の外部にシフトできた分だけ、遊技盤の裏側のスペースを確保することができ、遊技盤の裏側に配設される構成部品（例えば、制御基板や払出機構など多くの部品）が外枠の厚み（奥行き長さ）よりも裏側にはみ出すことが低減され、遊技盤の裏側における構成部品のレイアウト設計負担を低減でき、かかる構成部品を小型化する方向に縛られて設計しなければならないという制約を緩和することができ、遊技機（例えばパチンコ機）設計の自由度を広げることができる。また、内枠よりも前面側に位置する前面枠に遊技盤を配設するようにしているので、遊技機（パチンコ機）全体を前面側に平行移動する必要はないし、当該移動に起因する遊技島自体の変更も全く生じないし、遊技者との距離を保たなければならない球受皿などの前面側設置部品までが前方に移動してしまうようなこともないし、遊技者の遊技スペースが圧迫されることもないし、遊技操作し難くなるという問題も生じない。その結果、遊技島自体を変更することなく遊技機の設計の自由度を向上させることができる遊技機を提供することができる。
【発明を実施するための最良の形態】
【００６０】
以下、パチンコ遊技機（以下、単に「パチンコ機」という）の各種の実施の形態を、図面に基づいて詳細に説明する。
【実施例１】
【００６１】
実施例１のパチンコ機を、図面に基づいて詳細に説明する。図１は実施例１のパチンコ機１０の概略正面図であり、図２は実施例１のパチンコ機１０の斜視図であり、図３は実施例１のパチンコ機１０の遊技盤固定扉枠５１を内枠１２および前面枠セット１３からも開いた状態を示す斜視図であり、図４は実施例１のパチンコ機１０の遊技盤固定扉枠５１が取り付けられた状態の前面枠セット１３を内枠１２に対して開いた状態を示す斜視図であり、図５は実施例１の遊技盤３０の正面図である。
【００６２】
なお、図３，図４は、説明の便宜上の理由から、前面枠セット１３が閉じられた状態において遊技盤３０に干渉しないように内枠１２に取り付けられている各種制御基板などの構成品の図示を省略しており、遊技島から供給される遊技球を受けるタンク７１の一部等を図示するに留めている。
【００６３】
図１〜図４に示すように、パチンコ機１０は、当該パチンコ機１０の外殻を形成し遊技島に固定される外枠１１と、この外枠１１の一側部（例えば、正面視した状態での左側部）に開閉可能に支持された内枠１２と、この内枠１２に対して開閉自在に取り付けられる前面枠セット１３とを備えている。以下に、外枠１１と内枠１２と前面枠セット１３の構成を個別に詳細に説明する。
【００６４】
外枠１１は、木製の板材により全体として矩形状に構成され、小ネジ等の離脱可能な締結具により各板材が組み付けられている。本実施の形態では、外枠１１の上下方向の外寸は例えば８０９ｍｍ（内寸７７１ｍｍ）、左右方向の外寸は例えば５１８ｍｍ（内寸４８０ｍｍ）となっている。なお、外枠１１は、木製の板材等により構成されているが、樹脂やアルミニウム等の軽金属により構成されるようにしてもよい。
【００６５】
内枠１２は、図１〜図４に示すように、その開閉軸線Ｊが、パチンコ機１０の正面からみてハンドル（後述する遊技球発射ハンドル１８）設置箇所の反対側（図１のパチンコ機１０の左側）で上下に延びるように設定されており、この開閉軸線Ｊを軸心にして内枠１２が外枠１１から前方側に十分に開放できるようになっている。また、内枠１２は合成樹脂、具体的にはＡＢＳ（アクリロニトリル−ブタジエン−スチレン）樹脂により構成されている。こうすることで、粘性が高く衝撃に強くでき、低コストで製造できる。
【００６６】
内枠１２の構成を、図４を用いて詳細に説明する。内枠１２は、大別すると、その最下部に取り付けられた下皿ユニット１４と、この下皿ユニット１４よりも上側に位置する樹脂ベース１５と、この下皿ユニット１４よりも上側の範囲で内枠１２の左側の上下方向の開閉軸線Ｊを軸心にしてこの内枠１２に対して開閉自在に取り付けられた前面枠セット１３と、を備えている。
【００６７】
下皿ユニット１４は、内枠１２に対してネジ等の締結具により固定されている。この下皿ユニット１４は、その前面側に、下皿１６と球抜きレバー１７と遊技球発射ハンドル１８と灰皿２２と音出力口２４とが設けられている。
【００６８】
球受皿としての下皿１６は、下皿ユニット１４のほぼ中央部に設けられており、排出口１９より排出された遊技球が下皿１６内に貯留可能になっている。球抜きレバー１７は、下皿１６内の遊技球を抜くためのものであり、この球抜きレバー１７を図１で左側に移動させることにより、下皿１６の底面の所定箇所が開口され、下皿１６内に貯留された遊技球を下皿１６の底面の開口部分を通して下方向外部に抜くことができる。図４に示すように、遊技球発射ハンドル１８は、下皿１６よりも右方で手前側に突出して配設されている。
【００６９】
樹脂ベース１５は、図４に示すように、遊技者による遊技球発射ハンドル１８の操作に応じて遊技球を発射する遊技球発射装置３８と、この遊技球発射装置３８により発射された遊技球を遊技盤３０の方へ案内する誘導通路２７とを備えている。
【００７０】
具体的には、遊技球発射装置３８は、この遊技球発射装置３８により発射された遊技球を誘導通路２７に向けて案内する案内通路２８を備えている。つまり、遊技球発射装置３８により発射された遊技球は、案内通路２８を通って誘導通路２７に案内され、この誘導通路２７を通って遊技盤３０に打ち込まれるようになっている。遊技球発射装置３８は、遊技球発射ハンドル１８とセットハンドル（図示省略）と発射モータ（図示省略）などで構成されている。
【００７１】
具体的には、遊技球発射装置３８は、遊技者による操作を受ける遊技球発射ハンドル１８と、この遊技球発射ハンドル１８の操作量に応じた強さで動作するアクチュエータ（図示省略）と、このアクチュエータによって駆動されるハンマ（図示省略）とを備えている。アクチュエータによって駆動されるハンマが遊技球を打ちつけることにより、遊技球を発射する。
【００７２】
この実施例１では、遊技球発射装置３８として、遊技球をハンマ（図示省略）で打撃するタイプの構成を採用しているが、遊技球を電磁方式で射出する電磁式遊技球射出装置など、種々の方式の遊技球発射装置を採用してもよい。なお、上述した遊技球発射装置３８が本発明における遊技球発射手段に相当する。
【００７３】
なお、遊技球発射装置３８で発射されて誘導通路２７に入力された遊技球が、遊技盤３０の方に届かずに、この誘導通路２７を戻るような場合には、当該戻り球は遊技球発射装置３８の方には戻らず所定の経路を通って下皿１６の方に払い出されるようになっている。つまり、誘導通路２７の入口側から戻り出た戻り球は戻り防止部材（図示省略）に衝突し、誘導通路２７と案内通路２８との間に形成された排出口（図示省略）の方に落下し、所定の経路を通って下皿１６の方に払い出されるようになっている。ちなみに、遊技球発射装置３８から発射された遊技球は案内通路２８を通り、誘導通路２７と案内通路２８との間の排出口（図示省略）を飛び越えて誘導通路２７に入力されるようになっているため、発射球が排出口（図示省略）に入ってしまうことはない。
【００７４】
音出力口２４は、下皿ユニット１４内あるいは背面に設けられたスピーカからの音を出力するための出力口である。また、灰皿２２は下皿１６の左方に設けられている。灰皿２２は左右方向（水平方向）の軸線を軸心にして回動（例えば前方側に向けて前回り）するように、その右側が下皿１６に片持ち支持されている。
【００７５】
なお、下皿ユニット１４はその大部分が内枠１２と同様、ＡＢＳ樹脂にて成形されている。こうすることで、粘性が高く衝撃に強くでき、低コストで製造できる。特に、下皿１６を形成する表面層と下皿奥方の前面パネル部分とを難燃性のＡＢＳ樹脂にて成形している。このため、この部分は燃え難くなっている。
【００７６】
続いて、前面枠セット１３について説明する。前面枠セット１３は、図２に示すように、その前面側で下端側に、賞球として払い出された遊技球が貯留可能で遊技球発射装置３８の方にそれらの遊技球を供給するための上皿２３を備えている。
【００７７】
また、前面枠セット１３は、図４に示すように、内枠１２に対して開閉可能に取り付けられており、内枠１２と同様、パチンコ機１０の正面からみて左側に上下に延びる開閉軸線Ｊを軸心にして前方側に開放できるようになっている。
【００７８】
図３，図４に示すように、前面枠セット１３は、誘導通路２７よりも前面側に遊技盤３０が位置するように当該遊技盤３０を備えている。つまり、図３に示すように、前面枠セット１３は、その裏面側に、遊技盤３０が正対状態で嵌入可能な大きさの凹部５０を備えている。この凹部５０は、その凹部５０自体が隙間の無いように略枡状に成形されたものであり、前面枠セット１３の凹部５０に遊技盤３０を正対状態で嵌入することで前面枠セット１３に遊技盤３０を収納するようになっている。
【００７９】
具体的には、遊技盤３０は、前面枠セット１３の図３に示す凹部５０の側壁（リブ）５０ａ内に嵌まり込むようにして、図４に示すように取り付けられている。つまり、この前面枠セット１３の凹部５０の側壁５０ａに遊技盤３０の外周が嵌まり込むようにして取り付けられており、前面枠セット１３を正面視した状態で当該前面枠セット１３の前側から凹部５０に至るような隙間は一切無いようになっているので、前面枠セット１３と遊技盤３０との隙間から異物（針状あるいは薄板状等のもの）を差し入れるなどの不正行為を防止できるようになっている。また、前面枠セット１３は、内枠１２と同様に、合成樹脂、具体的にはＡＢＳ樹脂により構成されているので、粘性が高く衝撃に強くでき、低コストで製造できる。
【００８０】
さらに、遊技盤３０は、図３，図４に示すように、前面枠セット１３の左側の開閉軸線Ｊを軸線にして前面枠セット１３に対して開放自在となっている。具体的には、遊技盤３０は、図３に示すように、前面枠セット１３に対して開閉自在な遊技盤固定扉枠５１に取り付けられている。
【００８１】
遊技盤３０は、四角形状の合板よりなり、その周縁部の両側および底部が遊技盤固定扉枠５１に支持された状態で装着されている。前面枠セット１３は、図３に示すように、遊技盤３０の遊技領域３０ａに対応する箇所に、その遊技領域３０ａの形状と同じ形状の窓孔２５が形成されており、この窓孔２５に透明の２枚のガラス２６が前後に所定間隔を隔てて取り付けられている。したがって、前面枠セット１３のガラス２６を通して遊技盤３０の遊技領域３０ａが視認可能となっている。この遊技領域３０ａは、遊技球発射装置３８から打ち込まれた遊技球が転動可能な領域のことである。
【００８２】
図１に示すように、遊技盤３０は、その遊技領域３０ａにおいて、一般入賞口３１、可変入賞装置３２、第１の始動口３３（例えば作動チャッカ）、第２の始動口３４（例えばスルーゲート）、可変表示装置ユニット３５等を備えている。これらの一般入賞口３１、可変入賞装置３２、第１の始動口３３（例えば作動チャッカ）、第２の始動口３４（例えばスルーゲート）、可変表示装置ユニット３５等は、遊技盤３０における、ルータ加工によって形成された各貫通孔にそれぞれに配設され、遊技盤３０前面側から木ネジ等により取り付けられている。前述の一般入賞口３１、可変入賞装置３２および第１の始動口３３に遊技球が入球し、当該入球が図示省略した検出スイッチ（入賞口スイッチ、カウントスイッチ、作動口スイッチ等）で検出され、この検出スイッチの出力に基づいて、上皿１９（または下皿１６）へ所定数の賞品球が払い出される。その他に、遊技盤３０にはアウト口３６が設けられており、各種入賞装置等に入球しなかった遊技球はこのアウト口３６を通って当該遊技盤３０の裏面側の排出口３９の方へと案内されるようになっている。また、一般入賞口３１、可変入賞装置３２および第１の始動口３３に入球した遊技球も集められて最終的に排出口３９から排出されるようになっている。遊技盤３０には、遊技球の落下方向を適宜分散、調整等するために多数の釘が植設されているとともに、風車３７等の各種部材（役物）が配設されている。
【００８３】
可変表示装置ユニット３５は、図５に示すように、第１の始動口３３への入賞をトリガとして、識別情報としての第１図柄（例えば特別図柄）を変動表示する第１図柄表示装置４２と、第２の始動口３４の通過をトリガとして、第２図柄（例えば普通図柄）を変動表示する第２図柄表示装置４１とを備えている。
【００８４】
第２図柄表示装置４１は、第２図柄用の表示部４３と保留ランプ４４とを有し、遊技球が第２の始動口３４を通過する毎に例えば表示部４３による表示図柄（普通図柄）が変動し、その変動表示が所定図柄で停止した場合に第１の始動口３３が所定時間だけ作動状態となる（開放される）よう構成されている。遊技球が第２の始動口３４を通過した回数は最大４回まで保留され、その保留回数が保留ランプ４４にて点灯表示されるようになっている。なお、表示部４３は、複数のランプの点灯を切り換えることにより変動表示される構成の他、第１図柄表示装置４２（液晶表示装置）の一部で変動表示される構成等であっても良い。保留ランプ４４も同様に、第１図柄表示装置４２の一部で変動表示される構成等であっても良い。なお、上述した第２図柄表示装置４１が本発明における普通識別情報変動表示手段に相当する。
【００８５】
第１図柄表示装置４２は液晶表示装置として構成されており、表示制御装置（図示省略）により表示内容が制御される。第１図柄表示装置４２には、例えば左、中及び右の３つの図柄列が表示される。各図柄列は複数の図柄によって構成されており、これら図柄が図柄列毎にスクロールされるようにして第１図柄表示装置４２に可変表示されるようになっている。なお本実施の形態では、第１図柄表示装置４２（液晶表示装置）は８インチサイズの大型の液晶ディスプレイを備える。可変表示装置ユニット３５には、第１図柄表示装置４２を囲むようにしてセンターフレーム４７が配設されている。なお、上述した第１図柄表示装置４２が本発明における識別情報変動表示手段に相当する。
【００８６】
可変入賞装置３２は、通常は遊技球が入賞できない又は入賞し難い閉状態になっており、大当たりの際に遊技球が入賞しやすい開状態と通常の閉状態とに繰り返し作動されるようになっている。より詳しくは、第１の始動口３３に対し遊技球が入賞すると第１図柄表示装置４２で図柄が変動表示され、その停止後の確定図柄が予め設定した特定の図柄の組合せとなった場合に特別遊技状態が発生する。そして、可変入賞装置３２の大入賞口が所定の開放状態となり、遊技球が入賞しやすい状態（大当たり状態）になるよう構成されている。具体的には、所定時間の経過又は所定個数の入賞を１ラウンドとして、可変入賞装置３２の大入賞口が所定回数繰り返し開放される。遊技球が第１の始動口３３を通過した回数は最大４回まで保留され、その保留回数が保留ランプ４６にて点灯表示されるようになっている。なお、保留ランプ４６は、第１図柄表示装置４２の一部で変動表示される構成等であっても良い。
【００８７】
ここで、図６〜図１１を用いて、遊技盤３０を着脱自在に支持し、かつ、前面枠セット１３に対して開閉自在な遊技盤固定扉枠５１について説明する。図６（ａ）〜（ｃ）は、遊技盤３０を遊技盤固定扉枠５１から取り外す様子を正面から見た状態の説明図であり、図７（ａ）〜（ｃ）は、遊技盤３０を遊技盤固定扉枠５１から取り外す様子を前方斜め方向から見た状態の説明図であり、図８（ａ）〜（ｃ）は、遊技盤３０を遊技盤固定扉枠５１から取り外す様子を後ろ方斜め方向から見た状態の説明図であり、図９は、遊技盤３０と遊技盤固定扉枠５１との正面図であり、図１０は、遊技盤３０と遊技盤固定扉枠５１との前方斜視図であり、図１１は、遊技盤３０と遊技盤固定扉枠５１との右側面図である。
【００８８】
図６，図７に示すように、遊技盤固定扉枠５１は、前面枠セット１３から見た状態、つまり、当該遊技盤固定扉枠５１を正面視した状態において、略Ｕの字形状となっており、左側が前面枠セット１３に開閉自在に軸支され、かつ、上側から遊技盤３０が着脱自在となるように、当該上側が開放されるとともに、両側部の内面側に遊技盤３０の側端を摺動狭持するための溝部５２が形成され、下側に遊技盤３０が載置される載置部５３を備えている。
【００８９】
つまり、遊技盤３０の下側が遊技盤固定扉枠５１の載置部５３に載置され、かつ、遊技盤３０の両側端が遊技盤固定扉枠５１の両側部の内面側の溝部５２にそれぞれ狭持されることで、遊技盤３０が遊技盤固定扉枠５１に保持されることになる。
【００９０】
具体的には、遊技盤固定扉枠５１は、図９，図１０に示すように、遊技盤３０を着脱自在に支持する、正面視でＵの字形状のＵ字状支持枠体５５と、このＵ字状支持枠体５５の左端側にネジなどの締結部品で締結される棒状部材５６と、を備えている。Ｕ字状支持枠体５５の両側部は、遊技盤３０の挿入方向から見て略コノ字形状となっており、当該コノ字形状が上述した溝部５２に対応する。また、棒状部材５６は、その両端に扉側蝶番５７を備えている。この棒状部材５６の両端に備えられた扉側蝶番５７には、前面枠セット１３の左端の上下２箇所に設けられた支持ピン５８（図４参照）が挿入される挿入孔５７ａが形成されている。この遊技盤固定扉枠５１の棒状部材５６の扉側蝶番５７の挿入孔５７ａに前面枠セット１３の支持ピン５８を挿入することで、遊技盤固定扉枠５１が前面枠セット１３に開閉自在に支持されることになる。
【００９１】
例えば、遊技盤固定扉枠５１から遊技盤３０を取り外す際には、図６（ａ），図７（ａ），図８（ａ）に示すように、遊技盤固定扉枠５１に装着された遊技盤３０を、図６（ｂ），図７（ｂ），図８（ｂ）に示すように上方向に引き上げていき、図６（ｃ），図７（ｃ），図８（ｃ）に示すように、遊技盤固定扉枠５１から遊技盤３０を取り外すことができる。なお、遊技盤固定扉枠５１への遊技盤３０の装着は上記の逆の手順で行うようにすればよい。
【００９２】
遊技盤固定扉枠５１は、図６〜図１０に示すように、前面枠セット１３から見た状態（つまり、当該遊技盤固定扉枠５１を正面視した状態）で、遊技盤３０が取り付けられた状態において、遊技領域３０ａを隠さないように当該遊技盤固定扉枠５１の所定箇所（図９に示すＵ字状支持枠体５５の左側部の前面側が略２／３長さにわたる箇所）が切り欠かれた切り欠き部５９を備えている。つまり、この切り欠き部５９は、図９に示すＵ字状支持枠体５５の左側部の前面側を、略２／３長さにわたってその上側からやや下側に至るまで切り欠いたものである。
【００９３】
また、遊技盤固定扉枠５１は、図６〜図１１に示すように、遊技盤３０に打ち込まれた遊技球を排出するための当該遊技盤３０に設けられた排出口３９に対応する箇所に、その排出口３９からの遊技球を内枠１２の方に排出するための排出通路６０を備えている。この遊技盤固定扉枠５１の排出通路６０から排出される遊技球は、前面枠セット１３が内枠１２に閉じられた状態において、図４に示す内枠１２側の遊技球回収口６１に入り回収されることになる。なお、上述した遊技盤固定扉枠５１が本発明における扉枠に相当する。
【００９４】
図４に示すように、遊技盤３０と内枠１２とは接続ケーブル６２で接続されている。この接続ケーブル６２は、遊技盤３０の第１図柄表示装置４２や各種の遊技部品などに必要な電源電圧や制御信号などを供給するためのものである。
【００９５】
図４に示すように、遊技盤３０は、前述したように前面枠セット１３に対して開閉自在な遊技盤固定扉枠５１に移設されており、当該遊技盤３０の裏面側で誘導通路２７の出力端に対応する箇所に、当該誘導通路２７からの遊技球を遊技領域３０ａに導くよう入力される入口部６３を備えている。
【００９６】
図４に示すように、内枠１２の樹脂ベース１５の所定箇所には、遊技球発射装置３８と案内通路２８と誘導通路２７とが、遊技球を遊技領域３０ａに向かわせる単一の通過経路を形成するように固定されている。また、誘導通路２７は、発射された遊技球が入力される入口と、遊技球が出力される出口とを有する中空円筒部材であり、その入口側の開口面積の方が当該中空円筒部材の途中箇所の断面積よりも大きくなっている。誘導通路２７は、例えば、樹脂成型品にて構成されている。なお、この誘導通路２７を金属製などとしてもよい。
【００９７】
上述したように、遊技盤３０の裏面側に内枠１２が位置するようになっており、遊技球発射装置３８と案内通路２８と誘導通路２７とはパチンコ機１０の内枠１２の樹脂ベース１５に設けられていることなどから、遊技盤３０の裏面側（背面側）から遊技球が供給されてその遊技領域３０ａに供給されるようになっている。
【００９８】
続いて、遊技盤３０の入口部６３と内枠１２の誘導通路２７の先端部分との構成について図１２を用いて説明する。図１２（ａ）は、遊技盤３０が内枠１２から僅かに開いた状態での遊技盤３０の入口部６３と内枠１２の誘導通路２７の先端部分との関係を示す図であり、図１２（ｂ）は、遊技盤３０が内枠１２に対して閉じた状態での遊技盤３０の入口部６３と内枠１２の誘導通路２７の先端部分との関係を示す図である。
【００９９】
図１２に示すように、遊技盤３０は、当該遊技盤３０をその背面側から前面側に貫通した通路であって、その背面側に入口部６３を備えた貫通通路部６４と、入力側開口部が貫通通路部６４の前面側の開口部に連通され、出力側開口部が遊技盤３０の前面側で遊技領域３０ａの面に対して垂直または略垂直に向けられた、遊技盤３０の遊技領域３０ａから外側に向かう方向から当該遊技領域３０ａに平行となる方向に曲げられた曲通路部６５と、を備えている。
【０１００】
また、図１２に示すように、貫通通路部６４と曲通路部６５とは一体的に連通形成されたものである。曲通路部６５は、入力側開口部が貫通通路部６４の前面側の開口部に連通され、出力側開口部が遊技盤３０の前面側で遊技領域３０ａの面に対して垂直（略垂直としてもよい）に向けられたものであり、かつ、遊技盤３０の遊技領域３０ａから外側に向かう方向から当該遊技領域３０ａに平行となる方向（図１２（ｂ）に二点鎖線で示す矢印方向）に曲げられたものである。こうすることで、図１２（ｂ）に二点鎖線で示すように、誘導通路２７を通ってきた遊技球Ｂは、貫通通路部６４と曲通路部６５とを通って、遊技盤３０の遊技領域３０ａに供給される（打ち込まれる）こととなる。
【０１０１】
また、曲通路部６５は、図１２に示すように、貫通通路部６４を通過してきた遊技球が接触して遊技領域３０ａに平行に出力されるように曲げられた曲面部６６を備えている。この曲面部６６としては、遊技球の出力方向を変更するように湾曲し、かつ、その断面も円弧状とした曲板を採用しているが、少なくとも遊技球の出力方向を変更するように湾曲した面を有する管部材、筒部材などを採用するようにしてもよい。
【０１０２】
また、図１２に示すように、誘導通路２７は、その出力端の外形が、先端に行くに従って先細りとなるようにテーパ形状となっている。つまり、誘導通路２７は、その出力端にテーパ形状部２７ａを備えている。入口部６３は、その入力端の内形が、入力端に行くに従って先広がりとなるように逆テーパ形状となっている。つまり、入口部６３は、その入力端に逆テーパ形状部６３ａを備えている。また、誘導通路２７は、少なくともその出力端側の所定箇所が柔軟性部材により形成されている。
【０１０３】
図１２（ａ）に示すように、遊技盤３０が内枠１２から僅かに開かれている状態では、遊技盤３０の入口部６３と、内枠１２の誘導通路２７の遊技球出力側（つまり、誘導通路２７の先端部分）とは、非接続状態（切り離された状態）となっている。図１２（ａ）に示す破線矢印の方向に前面枠セット１３を閉じることで、当該前面枠セット１３の凹部５０に収納された遊技盤３０が内枠１２の方に向かうことになり、図１２（ｂ）に示すように内枠１２の誘導通路２７の先端部分と遊技盤３０の入口部６３とが嵌合する。つまり、誘導通路２７の出力端の外形がテーパ形状となっている箇所（テーパ形状部２７ａ）と、入口部６３の入力端の内形が逆テーパとなっている箇所（逆テーパ形状部６３ａ）とにより、スムーズな嵌合が行われる。また、誘導通路２７は、少なくともその出力端側の所定箇所が柔軟性部材により形成されているため、嵌合の際の僅かなずれを緩和することができる。
【０１０４】
前面枠セット１３は、図３に破線で示すように、正面視した状態で凹部５０の横幅方向に所定長さにわたって補強部材６７を備えている。この補強部材６７は、例えば、前面枠セット１３を正面視した状態で凹部５０の横幅方向に所定長さにわたる長板状の部材で剛性のある部材が挙げられる。なお、前面枠セット１３の凹部５０に遊技盤３０を収納した場合における当該前面枠セット１３の歪みやたわみを低減できるものであれば、それ以外の形状のものや構成のものを採用してもよい。
【０１０５】
ここで、遊技球発射装置３８から発射された遊技球が誘導通路２７、貫通通路部６４、曲通路部６５を通って遊技盤３０の遊技領域３０ａに打ち込まれる様子について以下に説明する。
【０１０６】
図１，図２に示すように、遊技者が遊技球発射ハンドル１８を回動操作すると、その回動角に応じた強さでハンマ（図示省略）が遊技球を打撃することになる。このハンマで打撃された遊技球は案内通路２８、誘導通路２７、貫通通路部６４をその順に通っていった後、曲通路部６５に到達する。
【０１０７】
図１２（ｂ）に示すように、曲通路部６５では、貫通通路部６４から出力された遊技球が曲面部６６に当接して沿うように進んでいく。曲面部６６は貫通通路部６４を通過してきた遊技球が接触して遊技領域３０ａに平行に出力されるように曲げられたものであるので、この曲面部６６に沿って進んでいくことで、貫通通路部６４から出力された遊技球の出力方向が遊技領域３０ａと平行な方向に変更されることになる。つまり、曲通路部６５から遊技球が遊技領域３０ａとガラス２６との間で遊技領域３０ａと平行な方向に出力される。
【０１０８】
上述したように、本実施例１のパチンコ機１０によれば、パチンコ機１０の外郭を形成し遊技島に固定される外枠１１と、この外枠１１に対して開閉自在に取り付けられる内枠１２と、この内枠１２に対して開閉自在に取り付けられる前面枠セット１３と、を備え、内枠１２は、遊技球を発射する遊技球発射装置３８と、この遊技球発射装置３８により発射された遊技球を遊技盤３０の方に案内する誘導通路２７とを備え、前面枠セット１３は、誘導通路２７よりも前面側に遊技盤３０が位置するように当該遊技盤３０を備え、この遊技盤３０は、その裏面側で誘導通路２７の出力端に対応する箇所に、当該誘導通路２７からの遊技球を遊技領域３０ａに導くよう入力される入口部６３を備えているので、内枠１２よりも前面側に位置する前面枠セット１３に遊技盤３０を配設することができ、遊技盤３０が内枠１２の外部にシフトできた分だけ、遊技盤３０の裏側のスペースを確保することができ、遊技盤３０の裏側に配設される構成部品（例えば、制御基板や払出機構など多くの部品）が外枠１１の厚み（奥行き長さ）よりも裏側にはみ出すことが低減され、遊技盤３０の裏側における構成部品のレイアウト設計負担を低減でき、かかる構成部品を小型化する方向に縛られて設計しなければならないという制約を緩和することができ、パチンコ機（遊技機）の設計の自由度を広げることができる。例えば、遊技盤３０の中央に設けられた第１図柄表示装置４２の表示画面周囲を覆う装飾部材（例えば、センターフレーム４７）のステージの奥行き長さを拡張するために、この装飾部材を奥行き方向に拡張したものを採用でき、さらに立体感のある装飾部材を具備する遊技機を実現できる。
【０１０９】
また、内枠１２よりも前面側に位置する前面枠セット１３に遊技盤３０を配設するようにしているので、遊技機（パチンコ機１０）全体を前面側に平行移動する必要はないし、当該移動に起因する遊技島自体の変更も全く生じないし、遊技者との距離を保たなければならない球受皿などの前面側設置部品までが前方に移動してしまうようなこともないし、遊技者の遊技スペースが圧迫されることもないし、遊技操作し難くなるという問題も生じない。
【０１１０】
その結果、遊技島自体を変更することなく遊技機の設計の自由度を向上させることができる遊技機を提供することができる。
【０１１１】
さらに、内枠１２よりも前面側に位置する前面枠セット１３に遊技盤３０を配設するようにしているので、遊技領域３０ａを遊技者に近づけることができ、視認性を向上させることができるし、従来には無い斬新なインパクトのある遊技機を提供することができる。つまり、従来のパチンコ機では、内枠内（内枠の内部）に遊技盤が位置するものが一般的であり、遊技者は遊技盤が従来位置にあると固定感覚化されており、本実施例１に係るパチンコ機１０では、遊技盤３０遊技者側にシフトしているため、遊技者が当該パチンコ機１０の前の座席に着いたときの印象が従来とは全く異なった印象を受け、当該遊技機の独自の個性を発揮することができる。
【０１１２】
また、従来のパチンコ機の遊技盤の前面側において、遊技領域に併設して設けられていた誘導領域、つまり、略円形の遊技領域の左端部に沿わせるように設けられていたガイドレールにより形成される誘導領域を、遊技盤の前面から無くすことができ、その分遊技領域を拡大することができ、遊技の興趣性を向上させることができる。
【０１１３】
また、従来のパチンコ機の遊技球発射装置や案内通路をそのまま使用することもでき、この発射された遊技球を誘導通路２７により遊技盤３０の裏面側の入口部６３に入力することができる。
【０１１４】
また、遊技盤３０が設けられた前面枠セット１３は内枠１２に対して開閉自在となっているので、内枠１２の誘導通路２７の清掃や誘導通路２７での球詰まりの解除や誘導通路２７の点検などを行うことができる。
【０１１５】
また、遊技球発射装置３８は、当該遊技球発射装置３８により発射された遊技球を誘導通路２７に向けて案内する案内通路２８を備え、誘導通路２７は、発射された遊技球が入力される入口と、遊技球が出力される出口とを有する中空円筒部材であり、その入口側の開口面積の方が当該中空円筒部材の途中箇所の断面積よりも大きくなっているので、遊技球発射装置３８から発射されて案内通路２８を通ってきた遊技球の進路方向に多少のバラツキがあっても、誘導通路２７の拡張された入口で許容することができ、好適に誘導通路２７に入力させることができる。つまり、遊技球発射装置３８での遊技球発射方向バラツキや案内通路２８の通過過程での遊技球の進行方向バラツキなどを誘導通路２７でもって許容することができる。
【０１１６】
また、遊技球発射装置３８と案内通路２８と誘導通路２７とは、遊技球を遊技領域３０ａに向かわせる単一の通過経路を形成するように内枠１２の所定箇所に固定されているので、遊技球発射装置３８と案内通路２８との位置や、案内通路２８と誘導通路２７との位置をぶれ難くすることができる。
【０１１７】
また、前面枠セット１３は、その裏面側に、遊技盤３０が正対状態で嵌入可能な大きさの凹部５０を備え、この凹部５０は、その凹部５０自体が隙間の無いように成形されたものであり、前面枠セット１３の凹部５０に遊技盤３０を正対状態で嵌入することで前面枠セット１３に遊技盤３０を収納するようにしているので、前面枠セット１３の前面側には不正行為に用いられる不正道具（線状、細状、細板状、棒状などの形状物）を差し入れる隙間などがない。つまり、凹部自体が隙間の無いようになっているので、不正道具を凹部の任意の箇所に貫通させて遊技盤に到達させようとすることができないので、そのような不正道具を用いた不正行為を低減できる。
【０１１８】
また、前面枠セット１３は、正面視した状態で凹部５０の横幅方向に所定長さにわたって補強部材６７を備えているので、遊技盤３０が開閉自在に取り付けられた前面枠セット１３がその遊技盤３０の自重によって変形あるいは歪みが生じることを低減できる。
【０１１９】
また、遊技盤３０は、前面枠セット１３に対して開閉自在な扉枠に取り付けられているので、遊技盤３０の盤面の清掃や遊技盤３０での球詰まりの解除や遊技盤３０の点検などを行うことができる。
【０１２０】
また、遊技盤固定扉枠５１は、前面枠セット１３から見た状態において、略Ｕの字形状となっており、左側が前面枠セット１３に開閉自在に軸支され、かつ、上側から遊技盤３０が着脱自在となるように、当該上側が開放されるとともに、両側部の内面側に遊技盤３０の側端を摺動狭持するための溝部５２が形成され、下側に遊技盤３０が載置される載置部５３を備えている。すなわち、遊技盤固定扉枠５１は、前面枠セット１３から見た状態において、略Ｕの字形状となっており、上側が開放されている。遊技盤固定扉枠５１の両側部の内面側に形成された溝に、遊技盤３０の両側端を沿わせるように差し入れることで、この遊技盤固定扉枠５１の溝に遊技盤３０の側端が摺動狭持されながら遊技盤３０が扉枠に挿入され、この遊技盤３０の底部が扉枠の下側の載置部５３に当接することで、遊技盤３０の遊技盤固定扉枠５１への装着が完了する。また、それとは逆の手順で遊技盤３０を遊技盤固定扉枠５１から取り外すことができる。つまり、遊技盤固定扉枠５１の溝に遊技盤３０の側端を嵌めるように合わせて、この遊技盤固定扉枠５１の溝に遊技盤３０の側端を摺動させて挿入していくことで、遊技盤３０を遊技盤固定扉枠５１に取り付けることができるし、その逆の手順で取り外すことができるので、遊技盤３０の着脱を容易に行うことができる。
【０１２１】
また、遊技盤固定扉枠５１は、前面枠セット１３から見た状態で、遊技盤３０が取り付けられた状態において、遊技領域３０ａを隠さない（正面視した状態で重ならない）ように当該遊技盤固定扉枠５１の所定箇所が切り欠かれた切り欠き部５９を備えているので、遊技盤３０の遊技領域３０ａを最大限に広げることができる。
【０１２２】
また、遊技盤固定扉枠５１は、遊技盤３０に打ち込まれた遊技球を排出するための当該遊技盤３０に設けられた排出口３９に対応する箇所に、排出口３９からの遊技球を内枠の方に排出するための排出通路６０を備えているので、内枠１２よりも前面側に位置する前面枠セット１３に遊技盤３０を配設するようにしたパチンコ機１０（遊技機）の構成下においても、遊技盤３０から排出される遊技球を内枠１２側の遊技球排出経路に好適に排出することができ、内枠１２側の遊技球排出経路を変更することなく使用することができる。
【０１２３】
また、誘導通路２７は、その出力端の外形が、先端に行くに従って先細りとなるようにテーパ形状となっており、入口部６３は、その入力端の内形が、入力端に行くに従って先広がりとなるように逆テーパ形状となっているので、誘導通路２７の出力端の外形に形成されたテーパ形状と、入口部６３の入力端の内形に形成された逆テーパ形状とにより、スムーズに誘導通路２７の出力端を入口部６３に挿入することができる。
【０１２４】
また、誘導通路２７は、少なくともその出力端側の所定箇所が柔軟性部材により形成されているので、スムーズに誘導通路２７の出力端を入口部６３に挿入することができる。
【０１２５】
また、遊技盤３０は、当該遊技盤３０をその背面側から前面側に貫通した通路であって、その背面側に前記入口部６３を備えた貫通通路部６４と、入力側開口部が貫通通路部６４の前面側の開口部に連通され、出力側開口部が遊技盤３０の前面側で遊技領域３０ａ面に対して垂直または略垂直に向けられた、遊技盤３０の遊技領域３０ａから外側に向かう方向から当該遊技領域３０ａに平行となる方向に曲げられた曲通路部６５と、を備えているので、遊技球発射装置３８から発射された遊技球は、誘導通路２７を通って遊技盤３０の背面側の入口部６３に誘導案内され、貫通通路部６４と曲通路部６５を通って遊技領域３０ａに案内されるので、従来例のような遊技盤の前面側の誘導領域を設けることを不要にでき、当該誘導領域が無くなった分、遊技領域を拡大することができる。しかも、曲通路部６５によって遊技球を遊技領域３０ａに対して平行に出力することができるので、遊技盤３０の背面側から前面側に供給されてきた遊技球が、遊技領域３０ａに対して所定間隔（例えば遊技球２個分程度の間隔）を空けて配設されている視認窓（ガラス２６）に直接に衝突するようなことを防止でき、前記の衝突に起因する視認窓（ガラス２６）の損傷を解消することができる。その結果、遊技盤自体を拡大することなく遊技領域を拡大した遊技機を提供することができる。
【０１２６】
また、曲通路部６５は、貫通通路部６４を通過してきた遊技球が接触して遊技領域３０ａに平行に出力されるように曲げられた曲面部６６を備えているので、貫通通路部６４からの遊技球が曲面部６６を摺接することで方向変更されて遊技領域に平行に出力することができ、遊技盤３０の背面側から前面側に供給されてきた遊技球が、遊技領域３０ａに対して所定間隔（例えば遊技球２個分程度の間隔）を空けて配設されている視認窓（ガラス２６）に直接に衝突するようなことを防止でき、前記の衝突に起因する視認窓（ガラス２６）の損傷を解消することができる。
【実施例２】
【０１２７】
次に、実施例２のパチンコ機１０について図１３〜図１４を用いて説明する。図１３は、実施例２のパチンコ機１０の前面枠セット１３のみを開いた状態を示す斜視図であり、図１４は、実施例２のパチンコ機１０の前面枠セット１３および遊技盤３０を開いた状態を示す斜視図であり、図１５（ａ）〜（ｃ）は、遊技盤３０を遊技盤固定扉枠５１に取り付ける様子を正面から見た状態の説明図であり、図１６（ａ）は、遊技盤３０の入口部６３への内枠１２の誘導通路２７の先端部分の取り付け前の状態を示す図であり、図１６（ｂ）は、遊技盤３０の入口部６３に内枠１２の誘導通路２７の先端部分を取り付けた状態を示す図である。なお、図１３に示す遊技盤３０には、遊技領域３０ａに複数本植設された釘の図示を省略している。
【０１２８】
前述の実施例１のパチンコ機１０では、図５に示すように、遊技盤３０を一枚もの（単一品）としているが、実施例２のパチンコ機１０では、図１３，図１４に示すように、遊技盤３０の左上の部分とそれ以外の部分とが分離独立したもので当該遊技盤３０を構成するものとしている、つまり、遊技盤３０が二分割されている点等が、前述の実施例１とは異なっている。
【０１２９】
図１３，図１４に示すように、遊技盤３０は、入口部６３を含む所定領域部分からなる第１領域部６８ａと、この第１領域部６８ａ以外の領域たる第２領域部６８ｂとを備えている。第１領域部６８ａは、第２領域部６８ｂとは別体であり、入口部６３と誘導通路２７の出力口とが連通するように内枠１２に取り付けられている。また、遊技盤固定扉枠５１は、前述の実施例１と同様に、内枠１２に対しても、前面枠セット１３の開閉に依らずに当該遊技盤固定扉枠５１単独で開閉自在となっている。また、遊技盤３０を遊技盤固定扉枠５１に取り付けた状態でこの遊技盤固定扉枠５１を内枠１２に対して閉状態とした場合において、図１３に示すように第１領域部６８ａと第２領域部６８ｂとが合わさり、一の遊技領域３０ａが形成されるようになっている。
【０１３０】
つまり、図１４に示すように、内枠１２の樹脂ベース１５の左上箇所には、遊技盤３０の第１領域部６８ａが固定されている。この遊技盤３０の第１領域部６８ａの裏面側には、図１６に示すように入口部６３が設けられている。前述の実施例１の貫通通路部６４と曲通路部６５とは、図１６に示すように、第１領域部６８ａに設けられている。また、第１領域部６８ａの裏面側の入力部には、図１６（ｂ）に示すように、内枠１２の誘導通路２７の出力端が接続されている。このように構成することで、誘導通路２７を通ってきた遊技球は、第１領域部６８ａの裏面側の入力部に入力され、続いて第１領域部６８ａの貫通通路部６４と曲通路部６５とを通り、遊技盤３０の遊技領域３０ａに供給されるようになっている。
【０１３１】
図１６（ａ）に示すように、誘導通路２７の出力端の所定箇所（図１６での誘導通路２７の出力端のうちの左側箇所）には、外側に付勢された付勢部材６９（例えば、板バネ部）を備えている。この付勢部材６９が入口部６３に入るように誘導通路２７を入口部６３に挿入して取り付けることで、図１６（ｂ）に示すように、付勢部材６９はその付勢力により貫通通路部６４の壁面に密着する。
【０１３２】
前述の実施例１と同様に、図１６（ｂ）に二点鎖線で示すように、誘導通路２７を通ってきた遊技球Ｂは、貫通通路部６４と曲通路部６５とを通って、遊技盤３０の遊技領域３０ａに供給される（打ち込まれる）こととなる。
【０１３３】
なおここで、実施例２の遊技盤固定扉枠５１について図１５を用いて説明する。
【０１３４】
図１５（ａ）に示すように、遊技盤固定扉枠５１は、前面枠セット１３から見た状態つまり当該遊技盤固定扉枠５１を正面視した状態において、逆コの字形状となっており、左側が前面枠セット１３に開閉自在に軸支され、かつ、右側から遊技盤３０が着脱自在となるように、当該右側が開放されるとともに、上側および下側の内面側に遊技盤３０の上下端を摺動狭持するための溝部５２が形成されている。
【０１３５】
図１５（ｂ）に示すように、遊技盤固定扉枠５１に遊技盤３０を装着した状態で、右側からコノ字状の止め具７０を挿し入れ、図１５（ｃ）に示すようにこの止め具７０をネジなどで遊技盤固定扉枠５１に締結し、遊技盤３０が遊技盤固定扉枠５１から外れないようにしている。
【０１３６】
なお、遊技盤固定扉枠５１の内枠１２に対する開閉の際に、遊技盤固定扉枠５１が遊技盤３０の第１領域部６８ａに干渉しないように、当該遊技盤固定扉枠５１の所定箇所が切り欠かれていることは言うまでもない。
【０１３７】
なお、遊技盤固定扉枠５１の内枠１２に対する開閉の際に当該遊技盤固定扉枠５１が遊技盤３０の第１領域部６８ａに干渉しないようにすれば、前述の実施例１のような形状の遊技盤固定扉枠５１を採用してもよい。
【０１３８】
上述したように、本実施例２のパチンコ機１０によれば、遊技盤３０は、入口部６３を含む所定領域部分からなる第１領域部６８ａと、この第１領域部６８ａ以外の領域たる第２領域部６８ｂとを備え、第１領域部６８ａは、第２領域部６８ｂとは別体であり、入口部６３と誘導通路２７の出力口とが連通するように内枠１２に取り付けられており、遊技盤固定扉枠５１は内枠１２に対しても、前面枠セット１３の開閉に依らずに当該遊技盤固定扉枠５１単独で開閉自在となっており、遊技盤３０を遊技盤固定扉枠５１に取り付けた状態でこの遊技盤固定扉枠５１を内枠１２に対して閉状態とした場合において、第１領域部６８ａと第２領域部６８ｂとが合わさり遊技領域が形成されるようになっている。つまり、誘導通路２７の出力口が第１領域部６８ａの入口部６３に連通されるようにこれらの誘導通路２７および第１領域部６８ａが内枠１２に取り付けられているので、遊技球発射装置３８により発射されて遊技盤３０の遊技領域３０ａに供給される遊技球の供給経路が遊技盤固定扉枠５１を開くことで分断されるようなことがない。つまり、当該遊技球の供給経路が遊技盤固定扉枠５１を開くことで分断されることがなく固定されている。よって、遊技球の供給経路が遊技盤固定扉枠５１を開くことで分断される構成の場合に発生し得る当該分断に起因するぶれを解消できるし、遊技盤固定扉枠５１の開閉に起因する経年的な位置ずれなども解消できる。また、遊技盤固定扉枠５１を閉状態としたときに当該供給経路が適切に接続されるように遊技盤固定扉枠５１の開状態（供給経路の分断状態）において関係箇所を位置合わせしなければならないという位置合わせの煩わしさも低減できる。
【０１３９】
また、遊技盤固定扉枠５１は、前面枠セット１３から見た状態において、逆コの字形状となっており、左側が前面枠セット１３に開閉自在に軸支され、かつ、右側から遊技盤３０が着脱自在となるように、当該右側が開放されるとともに、上側および下側の内面側に遊技盤３０の上下端を摺動狭持するための溝部５２が形成されているので、遊技盤固定扉枠５１の上側および下側の内面側に形成された溝に、遊技盤３０の上下端を沿わせるように差し入れることができ、この遊技盤固定扉枠５１の溝に遊技盤３０の上下端が摺動狭持されながら遊技盤３０が遊技盤固定扉枠５１に挿入され、この遊技盤３０の左端部が遊技盤固定扉枠５１の左側に当接することで、遊技盤３０の遊技盤固定扉枠５１への挿入が完了し、止め具７０により遊技盤３０を固定することで遊技盤３０の遊技盤固定扉枠５１への装着が完了する。また、それとは逆の手順で遊技盤３０を取り外すことができる。つまり、遊技盤固定扉枠５１の溝に遊技盤３０の上下端を嵌めるように合わせて、この遊技盤固定扉枠５１の溝に遊技盤３０の上下端を摺動させて挿入して止め具７０で固定することで、遊技盤３０を遊技盤固定扉枠５１に取り付けることができるし、その逆の手順で取り外すことができるので、遊技盤３０の着脱を容易に行うことができる。
【０１４０】
この発明は、上記実施形態に限られることはなく、下記のように変形実施することができる。
【０１４１】
（１）上述した各実施例では、内枠１２の外枠１１に対する開閉軸線と、前面枠セット１３の内枠１２に対する開閉軸線と、遊技球固定扉枠の前面枠セット１３に対する開閉軸線とを全て同一の開閉軸線Ｊで行うようにしているが、各軸線が互いに平行で別々とするようにしてもよい。
【０１４２】
（２）上述した各実施例では、遊技盤３０を支持する遊技盤固定扉枠５１として、図６や図１５などの形状のものを採用しているが、前面枠セット１３や内枠１２に対して開閉自在で遊技盤３０を支持可能な構成のものであれば種々の構成のものを採用してもよい。
【０１４３】
（３）上述した各実施例での誘導通路２７の全体あるいは必要箇所（単数箇所、複数箇所）を柔軟性のある柔軟性部材（フレキシブル部材）で形成するようにしてもよい。こうすることで、変形自在な誘導通路２７を確保することができる。
【０１４４】
（４）上述した各実施例では、遊技盤３０を支持する遊技盤固定扉枠５１を前面枠セット１３の裏面側に軸支して、遊技盤固定扉枠５１を開閉自在とする構成としているが、誘導通路２７よりも前面側で前面枠セット１３の内部位置に遊技盤３０が位置するように、内枠１２からその前面側に水平方向に突き出た支持柱部（図示省略）で遊技盤固定扉枠５１を支持するような構成としてもよい。この支持柱部は、単数あるいは複数本としてもよい。例えば、２本の支持柱部を、内枠１２の前面側で、かつ、開閉軸線Ｊ方向に間隔を空けて並設するようにし、この２本の支持柱部で、遊技盤固定扉枠５１の棒状部材５６を軸支する構成が挙げられる。
【０１４５】
（５）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１４６】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１４７】
以上のように、この発明は、パチンコ機やスロットマシン等の遊技機に適している。
【図面の簡単な説明】
【０１４８】
【図１】実施例１のパチンコ機の概略正面図である。
【図２】実施例１のパチンコ機の斜視図である。
【図３】実施例１のパチンコ機の遊技盤固定扉枠を内枠および前面枠セットからも開いた状態を示す斜視図である。
【図４】実施例１のパチンコ機の遊技盤固定扉枠が取り付けられた状態の前面枠セットを内枠に対して開いた状態を示す斜視図である。
【図５】実施例１の遊技盤の正面図である。
【図６】（ａ）〜（ｃ）は遊技盤を遊技盤固定扉枠から取り外す様子を正面から見た状態の説明図である。
【図７】（ａ）〜（ｃ）は遊技盤を遊技盤固定扉枠から取り外す様子を前方斜め方向から見た状態の説明図である。
【図８】（ａ）〜（ｃ）は遊技盤を遊技盤固定扉枠から取り外す様子を後ろ方斜め方向から見た状態の説明図である。
【図９】遊技盤と遊技盤固定扉枠との正面図である。
【図１０】遊技盤と遊技盤固定扉枠との前方斜視図である。
【図１１】遊技盤と遊技盤固定扉枠との右側面図である。
【図１２】（ａ）は遊技盤が内枠から僅かに開いた状態での遊技盤の入口部と内枠の誘導通路の先端部分との関係を示す図であり、（ｂ）は遊技盤が内枠に対して閉じた状態での遊技盤の入口部と内枠の誘導通路の先端部分との関係を示す図である。
【図１３】実施例２のパチンコ機の前面枠セットのみを開いた状態を示す斜視図である。
【図１４】実施例２のパチンコ機の前面枠セットおよび遊技盤を開いた状態を示す斜視図である。
【図１５】（ａ）〜（ｃ）は遊技盤を遊技盤固定扉枠に取り付ける様子を正面から見た状態の説明図である。
【図１６】（ａ）は遊技盤の入口部への内枠の誘導通路の先端部分の取り付け前の状態を示す図であり、（ｂ）は遊技盤の入口部に内枠の誘導通路の先端部分を取り付けた状態を示す図である。
【符号の説明】
【０１４９】
１１  …外枠
１２  …内枠
１３  …前面枠セット
２７  …誘導通路
２８  …案内通路
３０  …遊技盤
３８  …遊技球発射装置（遊技球発射手段）
３９  …排出口
５０  …凹部
５１  …遊技盤固定扉枠（扉枠）
５２  …溝部
５３  …載置部
５９  …切り欠き部
６０  …排出通路
６３  …入口部
６４  …貫通通路部
６５  …曲通路部
６６  …曲面部
６７  …補強部材
６８ａ…第１領域部
６８ｂ…第２領域部
【図１】
2006167264.tif 000003
【図２】
2006167264.tif 000004
【図３】
2006167264.tif 000005
【図４】
2006167264.tif 000006
【図５】
2006167264.tif 000007
【図６】
2006167264.tif 000008
【図７】
2006167264.tif 000009
【図８】
2006167264.tif 000010
【図９】
2006167264.tif 000011
【図１０】
2006167264.tif 000012
【図１１】
2006167264.tif 000013
【図１２】
2006167264.tif 000014
【図１３】
2006167264.tif 000015
【図１４】
2006167264.tif 000016
【図１５】
2006167264.tif 000017
【図１６】
2006167264.tif 000018